(57)【特許請求の範囲】
【請求項１】
少なくとも一部が壁面に収容される後ケースと前記後ケースの開口した前面を覆う前ケースとを有し、前後に分離可能に構成されたケースの内部に速結端子から成る電源端子を組み付けた電子機器の電源端子構造であって、
前記速結端子は、前記後ケース背面を前記前ケース側となる前方に隆起させた隆起部に配置すると共に、前記隆起部の形成によってケース背面側に形成された空間を電源線引き込み空間とし、
前記隆起部の前記速結端子の電線挿入部と同一方向の側部に電源線を引き込むための開口部を設け、ケース背部から前記開口部を介して電源線を引き込んで前記速結端子に接続することを特徴とする電子機器の電源端子構造。
【請求項２】
前記電源線引き込み空間の前記開口部へ通ずる部位には、電源線を前記速結端子の電線挿入部に案内するためのガイド壁が設けられて成ることを特徴とする請求項１記載の電子機器の電源端子構造。
【発明の詳細な説明】
【技術分野】
【０００１】
本発明は、インターホン機器等の電子機器に設けた速結端子に電源線を接続する電源端子構造に関し、特に壁面等に背部を埋め込んで設置する電子機器の電源端子構造に関する。
【背景技術】
【０００２】
ケース背部を壁面に埋設して取り付ける形態の電子機器は、ケースの一部を壁面に取り付けてから結線することになる。そのため、電源端子は通常ケース内に備えられることになり、電源線をケース背部からケース内に引き込んで電源端子に接続され、電源の供給を受ける。例えば、非特許文献１の取付図に示すＶＨ（Ｋ）−ＲＭタイプの住宅情報盤（居室親機）では、ケース内の背板上に設置した回路基板に電源端子として速結端子を組み付けて、電源線はケース背部に設けられた開口部を介して上方或いは後方からケース内に挿入されて接続されるよう構成されている。
【０００３】
【非特許文献１】「アイホン総合カタログ２００５／２００６年版」アイホン株式会社  ｐ．１２９（取付図）
【発明の開示】
【発明が解決しようとする課題】
【０００４】
しかしながら、電源線は太くて曲げにくいため、機器ケース内に引き込んだ電源線は狭い空間で引き回して速結端子に結線することになり、結線作業は簡易な作業ではなく手間が掛かっていた。また、機器ケース内に引き込んだ電源線を引き回して電源線接続部に結線するための配線空間が必要なため、電源端子をケース内に配置した構成のものは、小型化が難しかった。
【０００５】
そこで、本発明はこのような問題点に鑑み、ケース内で速結端子に電源線を結線する構成であっても、電源線を引き回すこと無く結線することを可能とし、ケース内に配線空間を殆ど必要としない電子機器の電源端子構造を提供することを目的とする。
【課題を解決するための手段】
【０００６】
上記課題を解決する為に、請求項１に記載の発明は、少なくとも一部が壁面に収容される後ケースと後ケースの開口した前面を覆う前ケースとを有し、前後に分離可能に構成されたケースの内部に速結端子から成る電源端子を組み付けた電子機器の電源端子構造であって、速結端子は、後ケース背面を前ケース側となる前方に隆起させた隆起部に配置すると共に、隆起部の形成によってケース背面側に形成された空間を電源線引き込み空間とし、隆起部の速結端子の電線挿入部と同一方向の側部に電源線を引き込むための開口部を設け、ケース背部から開口部を介して電源線を引き込んで速結端子に接続することを特徴とする。
この構成により、速結端子背部方向から電源線を引き込むため、電源線を引き込んで速結端子まで配線するためのケース内の配線空間を小さくすることができ、ケースの小型化に有効である。
【０００７】
また、速結端子を後ケースの隆起部に配置するため、堅牢に固定することができ、電源線の挿脱操作がし易い。
【０００８】
また、速結端子の電線挿入部と同一方向の側部に電源線を引き込むための開口部を設けたので、挿入した電線の結線がしやすい。
【０００９】
請求項２の発明は、請求項１に記載の発明において、電源線引き込み空間の開口部へ通ずる部位には、電源線を速結端子の電線挿入部に案内するためのガイド壁が設けられて成ることを特徴とする。
この構成により、電源線引き込み空間から開口部へ挿入した電源線は速結端子の電線挿入部に案内されるので、入線処理しやすく施工性が向上する。
【発明の効果】
【００１０】
本発明によれば、速結端子の背部方向から電源線を引き込むため、電源線を引き込んで速結端子まで配線するための配線空間を別途ケース内に設ける必要がなく、ケースの小型化に有効である。
【発明を実施するための最良の形態】
【００１１】
以下、本発明を具体化した実施の形態を、図面に基づいて詳細に説明する。図１〜図４は本発明に係る電子機器の電源端子構造の一例を示し、インターホン居室親機の後ケースを示している。図１は速結端子と電源トランスを組み付けた後ケースの斜視図、図２はＡ部の拡大図、図３は後ケースの背面方向斜視図、図４は回路基板を組み付けた後ケースの正面図である。図に示すように、この居室親機のケース１は、壁面内に主要部が埋設される後ケース１ａと、後ケース１ａの開口した前面を覆い操作部が設けられた前ケース１ｂとから成り、前ケース１ｂを後ケース１ａに組み付けたケース１の外観を図５に示している。尚、５は電源線、１６は電源トランスを示している。
【００１２】
後ケース１ａは、壁面に当接させて前ケース１ｂを組み付けるための係合部を備えた枠部２と、枠部２内部に配置されて壁面内に埋設される箱部３とから成り、箱部３内部に電源線５を結線するための速結端子４が組み付けられている。
速結端子４は、後ケース１ａの左上隅部に配置され、前方に向けて（図１では斜め上方に向けて）隆起形成された隆起部７の前面に、電線挿入部４ａを下方に向けてネジ止め固定されている。この隆起部７の背部は空洞形成され、図３に示すように、後方、上方及び左方の３方から電源線をケース内に挿入できるよう電源線引き込み空間８が形成されている。
【００１３】
そして、図２に示すように電線挿入部４ａと同一方向となる隆起部７の下面には、電源線５を引き込むための開口部９が形成されている。この開口部９は斜め前方に向けて形成され、この電源線引き込み空間８と、開口部９とで電源線挿入孔を構成している。また、開口部９へ通ずる電源線引き込み空間８内には、電源線５を案内するための平坦な傾斜面からなるガイド壁１０が設けられている。
【００１４】
また、隆起部７に隣接する箱部３上面には背面にかけて各種ケーブルを入出するための配線処理孔１２が大きく開口形成され、図４に示すように、箱部３内に配設された接続端子アレイ１３へのケーブルの接続を容易に実施できるよう構成されている。この接続端子アレイ１３は、上下方向に平行に２列配置されて構成され、箱部３の背板上に配置されたターミナル基板１４に組み付けられている。
【００１５】
一方、図４に示すように、箱部３の左側には電源回路が組み付けられた電源基板１５が取り付けられている。電源基板１５は、箱部３の側面に沿って縦配置されて取り付けられ、電源基板１５の下部には電源スイッチ１７が組み付けられている。尚、居室親機を動作させるための各素子が搭載された動作基板は、前ケース１ｂに組み付けられ（図示せず）、速結端子４と電源基板１５とは図示しないリード線により接続されている。
【００１６】
このように、電源線挿入孔を速結端子の真後ろに設けて速結端子背部方向から電源線を引き込むため、電源線を引き込んで速結端子まで配線するためのケース内の配線空間を小さくすることができ、ケースの小型化に有効であるし、挿入した電源線の結線がし易い。
また、速結端子を隆起部に固定するので堅牢に固定することができ、電源線の挿脱操作がし易いし、電源線挿入孔に挿入した電源線はガイド壁により速結端子の電線挿入部に案内されるので、入線処理しやすく施工性が向上する。
また、電源基板を縦配置してケース側面近傍に設置することで、ターミナル基板を後ケースの底面全体を使用して組み付けることができ、左右に組み付けた縦長の接続端子アレイ間のスペースが充分確保できる。そのため、中央に形成されたスペースに配線を収納することができ、接続端子側の配線処理がしやすくなる。逆に言えば、ケース幅を狭くすることが可能となり、機器全体の大きさを更に小さくすることが可能となる。
【００１７】
尚、上記実施形態は、後ケース１ａ背面の隅部に隆起部７を形成して速結端子４を配置したが、隆起部７は背面の任意の位置に設けて良く、ケース１内の部品配置や入線方向により決定すればよい。また、各種センサ等の機器を接続することを想定して接続端子を多数設けた構成を示しているが、各種機器の接続が必要ない機器であればこのような接続端子アレイ１３は必要ないし、そのための大きな配線処理孔１２も必要ない。
更に、速結端子４と電源基板１５とはリード線を介して接続される構成となっているが、速結端子４は隆起部７に固定せずに直接電源基板１５に搭載しても良い。この場合電源基板１５との電気的接続が必要なくなるので組立性が向上する。
また、速結端子４は電線挿入部４ａを下に向けて取り付けてあるが、他の方向を向けても良いし、接続する電源線５の曲げ量を小さくするために僅かに背部方向に向けて傾斜させて取り付けても良い。
【産業上の利用可能性】
【００１８】
本発明の電子機器の電源端子構造は、居室親機の電源端子構造だけでなく、壁面に設置される電子機器に対して適用でき、その小型化に有効である。
【図面の簡単な説明】
【００１９】
【図１】本発明に係る電子機器の電源端子構造の実施形態の一例を示し、インターホン機器の後ケース斜視図である。
【図２】図１のＡ部拡大図である。
【図３】図１の背面方向斜視図である。
【図４】図１の後ケースに電源基板を組み付けた状態の正面図である。
【図５】図１の後ケースに前ケースを組み付けた斜視図である。
【符号の説明】
【００２０】
１ａ・・後ケース、１ｂ・・前ケース、２・・枠部、３・・箱部、４・・速結端子、５・・電源線、７・・隆起部、８・・電源線引き込み空間（電源線挿入孔）、９・・開口部（電源線挿入孔）、１０・・ガイド壁。
【図１】
0004745020.tif 000002
【図２】
0004745020.tif 000003
【図３】
0004745020.tif 000004
【図４】
0004745020.tif 000005
【図５】
0004745020.tif 000006